(57)【要約】【課題】アンテナモジュールの小型化と、アンテナモジュールの信頼性を向上する。【解決手段】本実施形態に係るアンテナモジュールは、第１面にアンテナパターンが形成される第１配線基板と、電子部品が収容されるキャビティが形成され、第１配線基板の第１面とは反対の第２面側に積層される複数の第２配線基板と、を備え、キャビティは、外部に通じている。【選択図】図１
2018182449.tif 000002
【特許請求の範囲】
【請求項１】
第１面にアンテナパターンが形成される第１配線基板と、
電子部品が収容されるキャビティが形成され、前記第１配線基板の第１面とは反対の第２面側に積層される複数の第２配線基板と、
を備え、
前記キャビティは、外部に通じているアンテナモジュール。
【請求項２】
前記キャビティは、前記第２配線基板の一側の外縁から他側の外縁にわたって形成される請求項１に記載のアンテナモジュール。
【請求項３】
前記キャビティは、前記第２配線基板の第１面側に形成され、前記第２配線基板は、前記第２配線基板の第１面が、前記第１配線基板の第２面に対抗するように配置される請求項１又は２に記載のアンテナモジュール。
【請求項４】
前記キャビティには、前記電子部品に接続され、前記電子部品の動作をチェックするためのテスト端子が形成される請求項１乃至３のいずれか一項に記載のアンテナモジュール。
【請求項５】
前記配線基板は、回路パターンが形成される複数の導体層と、前記導体層の間に配置される複数の絶縁層とを含む多層配線基板である請求項１乃至４のいずれか一項に記載のアンテナモジュール。
【請求項６】
前記第１配線基板には、複数のアンテナパターンが形成され、前記アンテナパターンはマトリクス状に配列される請求項１乃至５のいずれか一項に記載のアンテナモジュール。
【請求項７】
前記第１配線基板と前記第２配線基板を貫通し、前記キャビティに通じる開口部を有する請求項１乃至６のいずれか一項に記載のアンテナモジュール。
【発明の詳細な説明】
【技術分野】
【０００１】
本発明は、アンテナモジュールに関する。
【背景技術】
【０００２】
車両や航空機などの移動体に用いられるレーダシステムとしては、マイクロ波やミリ波などの電波を利用したレーダシステムが用いられる。この種のレーダシステムは、電波を送受信するアンテナモジュールと、アンテナモジュールとの入出力信号を処理する信号処理回路などから構成される。
【０００３】
アンテナモジュールは、例えば誘電体基板上に配置されるマイクロストリップパッチアンテナ素子などのアンテナ素子を複数有している。そのため、アンテナ素子ごとに、入出力信号を処理するための信号処理回路が必要となる。これらの信号処理回路は、一般には、配線基板の表裏面に実装された電子部品と、配線基板に形成された回路パターンから構成される。そのため、アンテナモジュールに複数のアンテナ素子を搭載しようとすると、信号処理回路が形成された配線基板の数が増加する。その結果、アンテナモジュールが大型化するとともに、装置の製造コストやランニングコストも増加する。そこで、アンテナモジュールを小型化する技術が種々提案されている。
【０００４】
しかしながら、アンテナモジュールを小型化すると、信号処理回路を構成する電子部品が密集するため、当該電子部品から発生する熱を効率的に放熱しないと、電子部品が誤動作する場合がある。また、小型のアンテナモジュールでは、信号処理回路を構成する電子部品の動作をチェックする際に、当該電子部品にアクセスするためのスペースを確保することが困難になる。
【先行技術文献】
【特許文献】
【０００５】
【特許文献１】特開２０１４−７５６８２号公報
【発明の概要】
【発明が解決しようとする課題】
【０００６】
本発明は、上述の事情の下になされたもので、アンテナモジュールの小型化と、アンテナモジュールの動作の信頼性を向上することを課題とする。
【課題を解決するための手段】
【０００７】
上記課題を解決するため、本実施形態に係るアンテナモジュールは、第１面にアンテナパターンが形成される第１配線基板と、電子部品が収容されるキャビティが形成され、第１配線基板の第１面とは反対の第２面側に積層される複数の第２配線基板と、を備え、キャビティは、外部に通じている。
【図面の簡単な説明】
【０００８】
【図１】本実施形態に係るアンテナモジュールの斜視図である。
【図２】アンテナモジュールの展開斜視図である。
【図３】ユニットの断面図である。
【図４】スタックビア群の配置を示す図である。
【図５】ユニットの斜視図である。
【図６】ユニットの断面図である。
【図７】スタックビア群の配置を示す図である。
【図８】アンテナモジュールの製造方法を説明するための図である。
【図９】アンテナモジュールの回路を模式的に示す図である。
【図１０】アンテナモジュールの変形例を示す図である。
【図１１】アンテナモジュールの変形例を示す図である。
【図１２】アンテナモジュールの変形例を示す図である。
【図１３】アンテナモジュールの変形例を示す図である。
【図１４】アンテナモジュールの変形例を示す図である。
【図１５】アンテナモジュールの変形例を示す図である。
【図１６】アンテナモジュールの変形例を示す図である。
【発明を実施するための形態】
【０００９】
以下、本発明の実施形態を図面に基づいて説明する。実施形態の説明にあたっては、相互に直交するＸ軸、Ｙ軸、Ｚ軸からなる直交座標系を適宜用いる。
【００１０】
図１は、本実施形態に係るアンテナモジュール１０の斜視図である。アンテナモジュール１０は、例えば、マイクロ波を用いた合成開口レーダシステムに用いられる。図１に示されるように、アンテナモジュール１０は、上面に９つのアンテナパターン２０４ａが形成された正方形板状のモジュールである。図２は、アンテナモジュール１０の展開斜視図である。図２に示されるように、アンテナモジュール１０は、４つのユニット２０，３０Ａ〜３０Ｃから構成される。
【００１１】
図３は、ユニット２０の図２におけるＡＡ断面を示す図である。図３に示されるように、ユニット２０は、相互に積層された３つの絶縁層２１〜２３と、絶縁層２１〜２３に設けられる導体層２０１〜２０４とを有する多層配線基板である。ユニット２０では、絶縁層２２と、絶縁層２２の表裏面に形成される導体層２０２，２０３とが、例えば、コア基板と、コア基板の表裏面に貼り付けられた銅箔と、を有する銅張積層板を用いて作られている。コア基板は、絶縁層２２となり、銅箔は、パターニングされることにより導体層２０２，２０３となる。導体層２０２，２０３は、アンテナモジュール１０の仕様に応じてパターニングされている。銅張積層板のコア基板は、例えばガラス繊維にエポキシ樹脂を含浸させることにより形成された基板からなる。
【００１２】
また、絶縁層２１と導体層２０１、及び絶縁層２３と導体層２０４は、例えば、絶縁層２１，２３となるコア基板と、コア基板の一方の面に貼り付けられた銅箔と、を有する銅張積層板を用いて作られている。導体層２０１，２０４も、アンテナモジュール１０の仕様に応じてパターニングされている。ユニット２０では、例えば図２を参照するとわかるように、導体層２０４の一部が、正方形のアンテナパターン２０４ａとなっている。
【００１３】
絶縁層２１，２３は、例えば、プリプレグなどを介して、絶縁層２２に接着されている。各導体層２０１〜２０４は、絶縁層２１〜２３に設けられたスルーホール導体２１０によって、適当な位置で相互に電気的に接続されている。
【００１４】
ユニット２０では、３つの絶縁層２１〜２３にわたって、Ｚ軸方向へスタックされた３つのスルーホール導体２１０からなるスタックビア群２２０が形成されている。スタックビア群２２０は、図４の丸印Ｃに示されるように、ユニット２０の外縁とアンテナパターン２０４ａの外縁に沿って形成されている。複数のスタックビア群２２０によって、各導体層２０１〜２０４が電気的に接続されるとともに、ユニット２０の剛性が高められる。
【００１５】
図５は、ユニット３０Ａの斜視図である。図５に示されるように、ユニット３０Ａは、キャビティ３００ａが形成された配線基板３００と、配線基板３００に実装されたＩＣ（Integrated Circuit）６１やチップ６２などの電子部品を有している。ユニット３０Ａでは、３つのキャビティ３００ａが、配線基板３００の−Ｙ側の外縁から＋Ｙ側の外縁にわたって形成されている。
【００１６】
図６は、ユニット３０Ａの図５におけるＡＡ断面を示す図である。図６に示されるように、配線基板３００は、相互に積層された６つの絶縁層３１〜３６と、絶縁層３１〜３６に設けられる導体層３０１〜３０７とを有する多層配線基板である。
【００１７】
配線基板３００では、絶縁層３２と、絶縁層３２の表裏面に形成される導体層３０２，３０３とが、例えば、絶縁層３２となるコア基板と、コア基板の表裏面に貼り付けられた銅箔を有する銅張積層板を用いて作られている。
【００１８】
絶縁層３１と導体層３０１、及び絶縁層３３と導体層３０４は、例えば、絶縁層３１，３３となるコア基板と、コア基板の一方の面に貼り付けられた銅箔を有する銅張積層板を用いて作られている。絶縁層３１，３３は、例えば、プリプレグなどを介して、絶縁層３２の下面と上面にそれぞれ接着されている。絶縁層３１〜３３は、キャビティ３００ａの下方に位置し、キャビティ３００ａの底壁を構成する
【００１９】
絶縁層３４と導体層３０５、絶縁層３５と導体層３０６、及び絶縁層３６と導体層３０７は、絶縁層３３の上面側（＋Ｚ側）に積層されている。図５及び図６に示されるように、絶縁層３４〜３６には、長手方向をＹ軸方向とし、−Ｙ側の外縁から＋Ｙ側の外縁にわたる３つの開口部Ｈが形成されている。３つの開口部Ｈは、Ｘ軸に沿って等間隔に形成されている。
【００２０】
絶縁層３４と導体層３０５、絶縁層３５と導体層３０６、及び絶縁層３６と導体層３０７は、例えば、絶縁層３４，３５，３６となるコア基板と、コア基板の一方の面に貼り付けられた銅箔を有する銅張積層板を用いて作られている。絶縁層３４〜３６は、例えば、プリプレグなどを介して、それぞれ絶縁層３３〜３５に接着されている。
【００２１】
絶縁層３３に３枚の銅張積層板を張り付けることにより、絶縁層３３に積層される絶縁層３４〜３６を形成し、これらの絶縁層３４〜３６を、レーザ等を用いてパターニングすることにより、絶縁層３４〜３６に開口部Ｈをそれぞれ形成することができる。開口部Ｈの内部は、絶縁層３３を底壁面とするキャビティ３００ａとなる。
【００２２】
絶縁層３１〜３６に形成される導体層３０１〜３０７は、アンテナモジュール１０の仕様に応じてパターニングされている。また、キャビティ３００ａから露出する導体層３０４は、電子部品を実装するためのパッドなどを含む。
【００２３】
各導体層３０１〜３０７は、絶縁層３１〜３６に設けられたスルーホール導体３１０によって、適当な位置で相互に電気的に接続されている。配線基板３００では、絶縁層３１〜３６にわたってＺ軸方向へスタックされた６つのスルーホール導体３１０からなるスタックビア群３２０が形成されている。スタックビア群３２０は、図７の丸印Ｃに示されるように、キャビティ３００ａの外縁に沿って形成されている。複数のスタックビア群３２０によって、各導体層３０１〜３０７が電気的に接続されるとともに、配線基板３００の剛性が高められる。
【００２４】
ユニット３０Ａ以外のユニット３０Ｂ，３０Ｃも、ユニット３０Ａと同様に、キャビティ３００ａが形成された配線基板３００と、配線基板３００に実装されたＩＣ６１やチップ６２などの電子部品を有している。各ユニット３０Ａ〜３０Ｃに実装されるＩＣ６１などの電子部品の数や種類は、アンテナモジュール１０の仕様によって決定される。
【００２５】
次に、上述のように構成されるアンテナモジュール１０の製造方法について説明する。アンテナモジュール１０は、ユニット２０，３０Ａ〜３０Ｃをそれぞれ形成した後、ユニット２０，３０Ａ〜３０Ｃを一体化することにより製造することができる。
【００２６】
ユニット２０を構成する配線基板は、例えばサブトラクティブ法などを用いて導体層が形成された基板を、ビルドアップ工法を用いて多層化することにより形成することができる。
【００２７】
同様に、ユニット３０Ａ〜３０Ｃを構成する配線基板３００も、例えばサブトラクティブ法などを用いて導体層が形成された基板を、ビルドアップ工法を用いて多層化することにより形成することができる。配線基板３００が準備できたら、次に、配線基板３００のキャビティ３００ａから露出する導体層３０４に、ＩＣ６１やチップ６２などの電子部品を実装する。以上の工程により、ユニット２０、３０Ａ〜３０Ｃが完成する。
【００２８】
ユニット２０，３０Ａ〜３０Ｃを整形して寸法を調整するには、例えば、ルータなどを用いて、ユニット２０，３０Ａ〜３０Ｃを構成する配線基板の外縁を研磨することなどが考えられる。
【００２９】
次に、ユニット２０，３０Ａ〜３０Ｃを重ねて一体化する。具体的には、図８に示されるように、まず、ユニット３０Ａ〜３０Ｃのスタックビア群３２０の上方の導体層３０７に、半田からなるバンプ４０を形成する。
【００３０】
次に、ユニット２０，３０Ａ〜３０Ｃを重ね合わせる。そして、ユニット２０，３０Ａ〜３０Ｃを、加熱するとともに加圧する。これにより、ユニット２０の導体層２０１とユニット３０Ａの導体層３０７が、バンプ４０を介して接着される。また、ユニット３０Ａの導体層３０１とユニット３０Ｂの導体層３０７が、バンプ４０を介して接着され、ユニット３０Ｂの導体層３０１とユニット３０Ｃの導体層３０７が、バンプ４０を介して接着される。これにより、ユニット２０，３０Ａ〜３０Ｃが一体化され、図１に示されるアンテナモジュール１０が完成する。
【００３１】
図９は、ユニット２０，３０Ａ〜３０Ｃが一体されることにより形成されたアンテナモジュール１０の回路を模式的に示す図である。アンテナモジュール１０では、例えば、各アンテナパターン２０４ａは、当該アンテナパターン２０４ａの直下に位置するキャビティに収容される電子部品からなる制御回路に電気的に接続される。また、アンテナモジュール１０では、ユニット２０のスタックビア群２２０と、ユニット３０Ａ〜３０Ｃのスタックビア群３２０が、直列に接続される。
【００３２】
上述のように構成されるアンテナモジュール１０には、例えばユニット３０Ｃの下面に、外部機器との接続に用いられるコネクタなどが実装される。
【００３３】
以上説明したように、本実施形態に係るアンテナモジュール１０は、アンテナパターン２０４ａが形成されたユニット２０に積層されるユニット３０Ａ〜３０Ｃによって、アンテナパターン２０４ａからの信号を処理する制御回路が構成される。これにより、アンテナモジュール１０を、配線基板を積層することにより構成することができる。したがって、アンテナモジュール１０を小型化することができ、装置の製造コストを削減することができる。
【００３４】
また、本実施形態に係るアンテナモジュール１０では、図１に示されるように、ＩＣ６１やチップ６２などの電子部品が収容されるキャビティ３００ａが、外部に通じている。このため、ユニット３０Ａ〜３０Ｃに実装される電子部品から発生した熱を、効率よく外部へ放熱することができる。したがって、アンテナモジュール１０が小型化されたとしても、電子部品の温度上昇を抑制することがき、結果として、アンテナモジュールの動作の信頼性を向上することができる。
【００３５】
本実施形態に係るアンテナモジュール１０では、電子部品が収容されるキャビティ３００ａが、外部に通じている。このため、アンテナモジュール１０を分解することなく、外部から電子部品にアクセスすることができる。したがって、アンテナモジュール１０を、通常通り動作させつつ、電子部品それぞれの動作をチェックすることが可能になる。これにより、アンテナモジュール１０の良否判断が容易になり、結果的に、アンテナモジュール１０の信頼性を向上することができる。
【００３６】
本実施形態に係るアンテナモジュール１０では、図２に示されるように、キャビティ３００ａが、各ユニット３０Ａ〜３０Ｃの−Ｙ側の外縁から＋Ｙ側の外縁にわたって形成されている。このため、例えばファンなどを用いて、アンテナモジュール１０の周囲に、Ｙ軸に沿って空気の流れを作ることで、アンテナモジュール１０を効率よく冷却することが可能となる。
【００３７】
以上、実施形態に係るアンテナモジュール１０について説明したが、本アンテナモジュール１０は上記実施形態によって限定されるものではない。例えば、図１０に示されるように、キャビティ３００ａのアクセスが容易なスペースＳＰに、ＩＣ６１などの電子部品に接続される端子ＴＴを設けることとしてもよい。これによれば、キャビティ３００ａに収容される電子部品に直接アクセスすることなく、電子部品の動作チェックやテストを行うことができる。
【００３８】
スペースＳＰには、あまり多くの端子ＴＴを配置することができない。そのため、キャビティ３００ａに配置される電子部品のうち、アクセスが比較的困難な電子部品のための端子ＴＴを、スペースＳＰに配置することが好ましい。例えば、キャビティ３００ａの外縁近傍に配置される電子部品へのアクセスは容易であるため、キャビティ３００ａの中央部に配置される電子部品に接続される端子ＴＴを、優先的にスペースＳＰに設けるのが好ましい。
【００３９】
上記実施形態では、図１に示されるように、ユニット３０Ａ〜３０Ｃのキャビティ３００ａが、ユニット３０Ａ〜３０Ｃの−Ｙ側の外縁から＋Ｙ側の外縁にわたって形成される場合について説明した。これに限らず、ユニット３０Ａ〜３０Ｃのキャビティ３００ａを規定する隔壁３００ｂが、図１１，図１２に示されるように、井桁状に重なるように、ユニット３０Ａ〜３０Ｃそれぞれに、キャビティ３００ａを設けることとしてもよい。これによれば、各ユニット３０Ａ〜３０Ｃの隔壁が交差して重なるため、アンテナモジュール１０の剛性を高めることができる。
【００４０】
上記実施形態では、キャビティ３００ａが長方形である場合について説明したが、キャビティ３００ａの形状はこれに限られるものではない。例えば、図１３に示されるように、キャビティ３００ａは、一部が外部に通じていればよい。この場合にも、ユニット３０Ａ〜３０Ｃに実装される電子部品から発生した熱を、効率よく外部へ放熱することができる。
【００４１】
また、図１４に示されるように、ユニット２０や，ユニット３０Ａ〜３０Ｃを構成する配線基板３００に、キャビティ３００ａに通じる貫通孔などの開口部ＴＨが設けられていてもよい。この場合には、ユニット３０Ａ〜３０Ｃに実装される電子部品から発生した熱を、開口部ＴＨを介して外部へ放熱することができる。
【００４２】
上記実施形態では、アンテナモジュール１０が、４つのユニット２０，３０Ａ〜３０Ｃから構成される場合について説明した。これに限らず、アンテナモジュール１０は、３つ以下や５つ以上のユニットから構成されていてもよい。
【００４３】
各ユニット２０，３０Ａ〜３０Ｃを構成する配線基板の層数は、アンテナモジュール１０の仕様に応じて、任意に決めることができる。また、上記実施形態で説明したユニット２０，３０Ａ〜３０Ｃを構成する配線基板の構成は一例であり、各ユニット２０，３０Ａ〜３０Ｃの配線基板は、アディティブ法やセミアディティブ法など任意の手法を用いて製造することができる。
【００４４】
上記実施形態では、アンテナモジュール１０が、９つのアンテナパターン２０４ａを有している場合について説明した。これに限らず、アンテナモジュール１０は、１０以上或いは８以下のアンテナパターン２０４ａを備えていてもよい。
【００４５】
上記実施形態では、９つのアンテナパターン２０４ａがマトリクス状に配置されている場合について説明した。アンテナパターン２０４ａの配置はこれに限られるものではなく、例えば、アンテナパターン２０４ａは、ランダムに配置されていてもよく、所定の規則に従って配置されていてもよい。
【００４６】
ユニット２０，３０Ａ〜３０Ｃに用いられる配線基板として、標準サイズの基板を用いる場合には、アンテナパターン２０４ａの数を、できる限り増やすことによって、低コストで高性能なアンテナモジュール１０を製造することが可能になる。
【００４７】
上記実施形態では、図８に示されるように、アンテナモジュール１０を構成するユニット２０，３０Ａ〜３０Ｃを、半田からなるバンプ４０を用いて接続する場合について説明した。これに限らず、ユニット２０，３０Ａ〜３０Ｃの接続は、種々の方法で行うことができる。例えば、ユニット２０，３０Ａ〜３０Ｃを、導電性ペーストなどを用いて接続することとしてもよい。また、ＰＧＡ（Pin Grid Array）タイプの素子の実装と同様に、導体からなるピンを用いて、ユニット２０，３０Ａ〜３０Ｃを接続してもよい。また、金属コア入りの半田ボールを用いて、ユニット２０，３０Ａ〜３０Ｃを接続してもよい。
【００４８】
上記実施形態では、各ユニット２０，３０Ａ〜３０Ｃの導体層が、スタックされたビアからなるスタックビア群によって相互に接続される場合について説明した。これに限らず、例えば、アンテナモジュール１０の上面から下面に貫通する開口を設け、当該開口の内壁面にメッキ処理をすることにより、各ユニット２０，３０Ａ〜３０Ｃの導体層を相互に接続することとしてもよい。また、アンテナモジュール１０の上面から下面に貫通する開口に、導電性ペーストを充填することにより、各ユニット２０，３０Ａ〜３０Ｃの導体層を相互に接続することとしてもよい。
【００４９】
上記実施形態では、ユニット３０Ａ〜３０Ｃの配線基板３００に、上方が開口したキャビティが形成されている場合について説明した。これに限らず、例えば図６に示される絶縁層３１〜３３及び導体層３０１〜３０４と、絶縁層３４〜３６及び導体層３０５〜３０７を別々の配線基板から構成してもよい。
【００５０】
上記実施形態では、例えば、図５及び図６に示されるように、ＩＣ６１などの電子部品が、キャビティ３００ａが形成される配線基板３００に実装される場合について説明した。これに限らず、例えば、図１５に示されるように、キャビティ３００ａに収容されるＩＣ６１などの電子部品は、当該キャビティ３００ａが形成される配線基板３００以外の配線基板３００に実装される電子部品であってもよい。
【００５１】
具体的には、ユニット３０Ａのキャビティ３００ａに収容される電子部品は、ユニット２０の電子部品であってもよい。また、ユニット３０Ｂのキャビティ３００ａに収容される電子部品はユニット３０Ａの電子部品であってもよく、ユニット３０Ｃのキャビティ３００ａに収容される電子部品はユニット３０Ｂの電子部品であってもよい。
【００５２】
また、図１５に示されるように、ユニット２０，３０Ａ〜３０Ｃは、キャビティ３００ａ以外の位置に実装されるＩＣ６１などの電子部品を備えていてもよい。
【００５３】
上記実施形態では、例えば、図５及び図６に示されるように、キャビティ３００ａの底壁の上面に電子部品が実装される場合について説明した。これに限らず、図１６に示されるように、キャビティ３００ａの底壁の下面と上面の双方に、電子部品が実装されていてもよい。これによれば、ユニット３０Ａ〜３０Ｃを構成する配線基板３００の表裏面に電子部品を実装することができる。そのため、アンテナモジュール１０の実装密度を向上させることができる。
【００５４】
以上、本発明の実施形態を説明したが、これらの実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５５】
１０  アンテナモジュール
２０，３０Ａ〜３０Ｃ  ユニット
２１〜２３，３１〜３６  絶縁層
４０  バンプ
６１  ＩＣ
６２  チップ
２０１〜２０４，３０１〜３０７  導体層
２０４ａ  アンテナパターン
２１０  スルーホール導体
２２０  スタックビア群
３００  配線基板
３００ａ  キャビティ
３００ｂ  隔壁
３１０  スルーホール導体
３２０  スタックビア群
Ｃ  丸印
Ｈ，ＴＨ  開口部
ＳＰ  スペース
ＴＴ  端子
【図１】
2018182449.tif 000003
【図２】
2018182449.tif 000004
【図３】
2018182449.tif 000005
【図４】
2018182449.tif 000006
【図５】
2018182449.tif 000007
【図６】
2018182449.tif 000008
【図７】
2018182449.tif 000009
【図８】
2018182449.tif 000010
【図９】
2018182449.tif 000011
【図１０】
2018182449.tif 000012
【図１１】
2018182449.tif 000013
【図１２】
2018182449.tif 000014
【図１３】
2018182449.tif 000015
【図１４】
2018182449.tif 000016
【図１５】
2018182449.tif 000017
【図１６】
2018182449.tif 000018